【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
液状材料物質を被服に塗布して、前記被服に形成された折り目の保持を助ける方法であって、前記方法はリボン状、又は細長い線状の液状材料を材料ディスペンサから折り目線に沿って、又は前記折り目線付近に、前記ディスペンサと前記被服とを相対的に移動させながら塗布するステップを含み、前記液状材料は塗布後硬化して、前記折り目の形状を実質的に保持し、前記液状材料のための前記ディスペンサは前記液状材料が吐出される先端を含み、前記先端は前記折り目線に対して、前記被服と接触せず、又は実質的に圧力のかからない状態で接触して、前記材料を前記被服に染み込ませるような前記材料の塗布の圧力が加わるのを防止するように保たれる、方法。
【請求項２】
前記先端が前記被服と接触していない場合、前記材料は、前記先端と前記被服との間の隙間を埋めて前記被服に付着するように吐出される、請求項１に記載の方法。
【請求項３】
前記材料は、開口を有する先端を含む分注カートリッジ内に保たれ、前記開口から前記材料を前記被服の折り目上に、又は前記被服の折り目付近に分注できる、請求項１に記載の方法。
【請求項４】
前記被服は固定位置に保たれ、前記分注カートリッジは前記折り目線の長さに沿って移動され、前記材料は前記分注カートリッジから制御された方法で分注される、請求項３に記載の方法。
【請求項５】
前記分注カートリッジにはガイドが提供され、前記ガイドは前記折り目に沿って、又は前記折り目と一致するように通り、前記分注カートリッジが前記被服に沿って移動されているときに前記分注カートリッジの移動を導く、請求項３に記載の方法。
【請求項６】
前記先端は、前記開口上の場所に設置され、前記被服から離して斜めに提供できる、請求項３に記載の方法。
【請求項７】
前記先端の自由端の場所とガイド部材のベースとの関係は、前記先端の場所、したがって前記被服内の必要な深さでの前記材料の塗布を制御するように選択される、請求項１に記載の方法。
【請求項８】
前記関係は、前記折り目の保持が維持されることを確かにする一方、前記材料が生地を完全に通り抜けるのを防止するために、塗布されている特定の材料及び／又は、前記被服が作られた前記生地の重量に適するように変更される、請求項７に記載の方法。
【請求項９】
前記材料の浸潤及び／又は塗布される前記材料の種類は生地の種類に応じて制御される、請求項1〜８の何れか１項に記載の方法。
【請求項１０】
前記材料が塗布される前記被服の折り目と前記先端の間隔は、前記先端が前記被服と「軽く接触する」ような、圧力のかからない接触から０．０７ｍｍまでの範囲である、請求項１に記載の方法。
【請求項１１】
前記分注カートリッジの前記先端は前記分注カートリッジの第一の端に提供され、反対の端には、前記分注カートリッジ内に位置するピストンに作用する圧縮空気等の加圧された流体源に接続できるようにする手段が提供されている、請求項３に記載の方法。
【請求項１２】
前記加圧された流体源は前記分注カートリッジ内に制御された方法で、前記分注カートリッジ内に位置するピストンを前記分注カートリッジの内部に沿って移動させ、前記分注カートリッジ内の前記材料を前記開口に向かって移動させ、前記開口から外へと制御された方法で移動させるように選択された圧力で導入される、請求項３に記載の方法。
【請求項１３】
前記分注カートリッジには逆止部材が提供されて、前記ピストンが開始場所に戻るのが防止され、したがって、前記分注カートリッジの再補充が防止される、請求項１２に記載の方法。
【請求項１４】
前記材料の粘度は、前記材料が被服の生地に染みとおらないようする一方で、前記被服と接触して粘着するようにして、変色又は「裏抜け」を回避するように選択される、請求項１３に記載の方法。
【請求項１５】
前記材料は前記分注カートリッジを通って、実質的に１５ｐｓｉの領域の圧力で前記先端に向かって移動される、請求項１１に記載の方法。
【請求項１６】
前記材料が塗布される前記被服は支持面上に位置付けられ、前記材料が沿うように塗布される前記被服又は衣服片の前記折り目は、前記支持面の細長い谷間に沿って延びるように位置する、請求項１に記載の方法。
【請求項１７】
前記谷間は実質的にＶ字又はＵ字形である、請求項１６に記載の方法。
【請求項１８】
前記材料は、前記材料が塗布されるときに前記被服又は衣服片の生地の繊維及び／又は糸を、前記折り目で、及び／又はその付近で、前記生地の繊維及び／又は糸が位置する場所においてロックするように十分な程度まで前記折り目に導入される、請求項１に記載の方法。
【請求項１９】
前記材料は、前記被服の内面に、前記被服に事前に形成された折り目に沿って、織りに浸透し、硬化すると前記織りの構造を保持して、前記事前に形成された折り目をその場所に保持するように作用するのに十分な程度まで塗布される、請求項１に記載の方法。
【請求項２０】
被服の折り目に塗布されるように使用される材料であって、前記材料は長期間にわたり前記折り目を保持するために液体状態の時に塗布され、前記材料はポリウレタンハイブリッド化合物である材料。
【請求項２１】
前記材料は、大気湿度にさらされると硬化し、前記被服の前記材料の塗布の線に沿ってエラストマーを形成する、請求項２０に記載の材料。
【請求項２２】
前記材料は、ノンサグ弾性１−ｃシール材として形成される、請求項２０に記載の材料。
【請求項２３】
前記材料は高耐摩耗性の化合物である、請求項２０〜２２の何れか１項に記載の材料。
【請求項２４】
材料を被服の折り目線に沿って塗布するための装置であって、前記装置はある量の前記材料が保持される空隙を持つ分注カートリッジを含み、前記分注カートリッジは、分注の開口を通じて前記材料を選択的に分注できる前記分注の開口を持つ先端を有し、前記先端は、前記材料が塗布される前記被服と実質的に圧力がかからない状態で接触した状態か、又は前記被服から離間された距離に維持され、前記分注カートリッジに提供され、前記被服と接触することによって前記先端を前記被服に対して必要な位置に維持する１つ以上の支持部材によって保持される装置。
【請求項２５】
前記先端は、前記先端が被服材料と接触すると、前記先端から分注された前記材料が前記先端によって前記被服に染み込まさないような種類の材料から製作される、請求項２４に記載の装置。
【請求項２６】
前記先端は、力が前記分注カートリッジに加えられて、前記先端を前記被服と接触させるように移動させ、前記先端が前記分注された材料に加える力を軽減させ、したがって、前記分注された材料が、前記被服の1つの面から前記被服の反対面へと染み込ませられるのに抵抗するように変形できる材料から形成される、請求項２５に記載の装置。
【請求項２７】
前記分注カートリッジは、前記分注カートリッジに提供された加圧された流体源との接続部を介して、前記分注カートリッジ空隙内へと導入された加圧された流体の影響を受けて前記空隙に沿って移動可能なピストンヘッドを含む、請求項２６に記載の装置。
【請求項２８】
前記先端の接触面は、前記被服の表面に対して２〜１０度の範囲の角度に位置するように提供される、請求項２７に記載の装置。
【請求項２９】
少なくとも２つの離間された支持部材は、前記先端と一致するように位置し、前記分注カートリッジの移動方向に対して前記先端の前方の前記折り目線に沿って移動される、請求項２４に記載の装置。
【請求項３０】
少なくとも２つの離間された支持部材は、ホイールの形状で提供される、請求項２４に記載の装置。
【請求項３１】
前記ホイールは、前記分注カートリッジがその上に位置するキャリッジの一部として提供され、前記分注カートリッジとキャリッジは前記材料が塗布されるにつれて前記被服に対して移動する、請求項３０に記載の装置。
【請求項３２】
前記ホイールは前記分注カートリッジ上に、又は前記分注カートリッジと共に、前記先端と一致するように位置し、前記ホイールは前記折り目線に沿って移動されるように前記被服と接触する、請求項３０に記載の装置。
【請求項３３】
前記被服はスタンドの表面上に設置され、前記表面は細長い溝を含み、前記材料が塗布される前記被服の折り目線は、前記溝の中に前記溝に沿って延びるように位置付けられ、その後、前記溝に沿って前記分注カートリッジの前記先端が移動されて、前記材料が前記折り目線に沿って塗布される、請求項２４〜３２の何れか１項に記載の装置。
【請求項３４】
前記溝は断面がＵ字又はＶ字形であり、前記被服の折り目線は断面がＶ字形であり、前記被服は前記溝に対して、前記Ｖ字のベース点が前記Ｕ字又はＶ字形の溝のベースの中に延び、前記材料が前記被服の折り目線の前記Ｖ字の中に塗布されるように位置付けられる、請求項３３に記載の装置。
【手続補正２】
【補正対象書類名】明細書
【補正対象項目名】００４１
【補正方法】変更
【補正の内容】
【００４１】
【図１】図１（ａ）〜（ｈ）は、先行技術の従来の材料を使用した試験結果を示す。
【図２ａ】支持面の溝に垂直な方向の断面と、本発明による材料塗布装置を概略的に示す。
【図２ｂ】支持面の溝に沿った方向の断面と、本発明による材料塗布装置を概略的に示す。
【図３ａ】折り目に従来の材料が塗布される被服を示す。
【図３ｂ】折り目に本発明による材料が塗布される被服を示す。
【図４】本発明の１つの実施形態による先端を持つカートリッジを示す。
【図５】１つの実施形態における本発明による材料を使用して得られた試験結果を示す。
【図６】１つの実施形態における本発明による材料を使用して得られた試験結果を示す。